(57)【要約】  【課題】大きな開口面積を確保しつつ収納物がこぼれ出るのを防止又は抑制できる構成の容器を実現する。  【解決手段】開口部１ａを有する容器本体１と、前記開口部１ａを開閉可能な蓋部２とを備え、前記蓋部２を開いた状態で自立可能な容器たるペンツールスタンドＳにおいて、前記蓋部２は、接続部７を介して前記容器本体１に回動可能に接続されるとともに、少なくとも回動端２ｂ側の領域２ｃをその内面が外を向くように反転させることができるようにしたものであり、前記容器本体１と前記蓋部２とがマチ４で接続されている構成を採用する。【選択図】図８
2020000741.tif 000002
【特許請求の範囲】
【請求項１】
開口部を有する容器本体と、前記開口部を開閉可能な蓋部とを備え、前記蓋部を開いた状態で自立可能な容器であって、
前記蓋部は、接続部を介して前記容器本体に回動可能に接続されるとともに、少なくとも回動端側の領域をその内面が外を向くように反転させることができるようにしたものであり、
前記容器本体と前記蓋部とがマチで接続されている容器。
【請求項２】
前記蓋部が、前記容器本体に回動可能に接続された第一の蓋要素と、この第一の蓋要素に回動可能に接続され前記回動端側の領域を構成する第二の蓋要素とからなり、前記第一の蓋要素と前記容器本体とが前記マチで接続されている請求項１記載の容器。
【請求項３】
前記接続部は、前記容器本体の下部に設定されている請求項１又は２記載の容器。
【請求項４】
前記蓋部を開いた姿勢で安定させる姿勢安定手段を備えている請求項１、２又は３記載の容器。
【請求項５】
前記姿勢安定手段が、前記容器本体の底部に設けた滑り止めと、前記蓋部に設けた滑り止めとを備えたものである請求項４記載の容器。
【請求項６】
前記蓋部が、前記容器本体に回動可能に接続された第一の蓋要素と、この第一の蓋要素に回動可能に接続された第二の蓋要素からなり、前記姿勢安定手段が、前記第一の蓋要素と前記第二の蓋要素との間の開き角度を拘束する拘束具を備えたものである請求項４記載の容器。
【請求項７】
前記蓋部が、前記容器本体に回動可能に接続された第一の蓋要素と、この第一の蓋要素に回動可能に接続された第二の蓋要素からなり、前記姿勢安定手段が、前記第一の蓋要素と前記第二の蓋要素の開き角度を変更可能に設定できる請求項４又は５記載の容器。
【請求項８】
前記蓋部の上部内面側に、当該蓋部を閉じた姿勢において対向する容器本体の内面に接近するように突出する収納部を設けている請求項１、２、３、４、５、６又は７記載の容器。
【請求項９】
前記蓋部を開いた姿勢では、前記蓋部が載置面に対して傾斜した状態で当接し、前記容器本体に収納物が収納された状態で当該容器本体が前記載置面上に安定して起立しうるように構成されている請求項１、２又は３記載の容器。
【発明の詳細な説明】
【技術分野】
【０００１】
本発明は、ペンをはじめ種々の小物類を卓上に立てて使用するための容器に関する。
【背景技術】
【０００２】
従来、この種の容器として、開口部を有する容器本体と、前記開口部を開閉可能な蓋部とを備え、前記蓋部を開いた状態で自立可能なものが知られている（例えば、特許文献１参照）。この容器は、前記蓋部を開くと、前記容器本体の底面とともにその蓋部の上面が載置面に接地し、前記開口部が全開となって自立するようになっている。
【０００３】
ところが、前記蓋部は、その内面が外を向くように開くため、使い易さを考慮して前記開口部を大きく設計しておくと、容器本体内の収納物がこぼれ出やすくなる。
【０００４】
このような事情は、ペンツールスタンドに限られるものではなく、化粧用具、携帯型の電子機器類、家庭用救急セット、その他、種々の小物類を収納するための容器においても同様である。
【先行技術文献】
【特許文献】
【０００５】
【特許文献１】特開２０１７−２００５７０号公報
【発明の概要】
【発明が解決しようとする課題】
【０００６】
本発明は、大きな開口面積を確保しつつ収納物がこぼれ出るのを防止又は抑制できる構成の容器を実現するものである。
【課題を解決するための手段】
【０００７】
請求項１記載の発明に係る容器は、開口部を有する容器本体と、前記開口部を開閉可能な蓋部とを備え、前記蓋部を開いた状態で自立可能な容器であって、前記蓋部は、接続部を介して前記容器本体に回動可能に接続されるとともに、少なくとも回動端側の領域をその内面が外を向くように反転させることができるようにしたものであり、前記容器本体と前記蓋部とがマチで接続されているものである。
【０００８】
請求項２記載の発明に係る容器は、請求項１記載の構成のものにおいて、前記蓋部が、前記容器本体に回動可能に接続された第一の蓋要素と、この第一の蓋要素に回動可能に接続され前記回動端側の領域を構成する第二の蓋要素とからなり、前記第一の蓋要素と前記容器本体とが前記マチで接続されているものである。
【０００９】
請求項３記載の発明に係る容器は、請求項１又は２記載の構成のものにおいて、前記接続部は、前記容器本体の下部に設定されているものである。
【００１０】
請求項４記載の発明に係る容器は、請求項１、２又は３記載の構成のものにおいて、前記蓋部を開いた姿勢で安定させる姿勢安定手段を備えているものである。
【００１１】
請求項５記載の発明に係る容器は、請求項４記載の構成のものにおいて、前記姿勢安定手段が、前記容器本体の底部に設けた滑り止めと、前記蓋部に設けた滑り止めとを備えたものである。
【００１２】
請求項６記載の発明に係る容器は、請求項４記載の構成のものにおいて、前記蓋部が、前記容器本体に回動可能に接続された第一の蓋要素と、この第一の蓋要素に回動可能に接続された第二の蓋要素からなり、前記姿勢安定手段が、前記第一の蓋要素と前記第二の蓋要素との間の開き角度を拘束する拘束具を備えたものである。
【００１３】
請求項７記載の発明に係る容器は、請求項４又は５記載の構成のものにおいて、前記蓋部が、前記容器本体に回動可能に接続された第一の蓋要素と、この第一の蓋要素に回動可能に接続された第二の蓋要素からなり、前記姿勢安定手段が、前記第一の蓋要素と前記第二の蓋要素の開き角度を変更可能に設定できるものである。
【００１４】
請求項８記載の発明に係る容器は、請求項１、２、３、４、５、６又は７記載の構成のものにおいて、前記蓋部の上部内面側に、当該蓋部を閉じた姿勢において対向する容器本体の内面に接近するように突出する収納部を設けているものである。
【００１５】
請求項９記載の発明に係る容器は、請求項１、２又は３記載の構成のものにおいて、前記蓋部を開いた姿勢では、前記蓋部が載置面に対して傾斜した状態で当接し、前記容器本体に収納物が収納された状態で当該容器本体が前記載置面上に安定して起立しうるように構成されているものである。
【発明の効果】
【００１６】
本発明によれば、大きな開口面積を確保しつつ収納物がこぼれ出るのを防止又は抑制できる構成の容器を実現できる。
【図面の簡単な説明】
【００１７】
【図１】本発明の第一の実施形態に係るペンツールスタンドを示す斜視図。
【図２】同実施形態に係るペンツールスタンドを示す正面図。
【図３】同実施形態に係るペンツールスタンドを示す平面図。
【図４】同実施形態に係るペンツールスタンドを示す側面図。
【図５】同実施形態に係るペンツールスタンドを示す底面図。
【図６】図２におけるＡ−Ａ線に沿った断面を模式的に示す模式断面図。
【図７】同実施形態に係るペンツールスタンドの開き姿勢を示す斜視図。
【図８】同実施形態に係るペンツールスタンドの開き姿勢を示す側面図。
【図９】図７におけるＢ−Ｂ線に沿った断面を模式的に示す模式断面図。
【図１０】図７におけるＣ−Ｃ線に沿った断面を模式的に示す模式断面図。
【図１１】本発明の第二の実施形態に係るペンツールスタンドを示す斜視図。
【図１２】同実施形態に係るペンツールスタンドの開き姿勢を示す斜視図。
【図１３】図１２におけるＤ−Ｄ線に沿った断面を模式的に示す模式断面図。
【図１４】本発明の第三の実施形態に係るペンツールスタンドを示す斜視図。
【図１５】同実施形態に係るペンツールスタンドの開き姿勢を示す斜視図。
【図１６】図１５におけるＥ−Ｅ線に沿った断面を模式的に示す模式断面図。
【図１７】本発明の第四の実施形態に係るペンツールスタンドを示す斜視図。
【図１８】同実施形態に係るペンツールスタンドの開き姿勢を示す斜視図。
【図１９】図１８におけるＦ−Ｆ線に沿った断面を模式的に示す模式断面図。
【図２０】本発明の第五の実施形態に係るペンツールスタンドを示す斜視図。
【図２１】同実施形態に係るペンツールスタンドの開き姿勢を示す斜視図。
【図２２】図２１におけるＨ−Ｈ線に沿った断面を模式的に示す模式断面図。
【発明を実施するための形態】
【００１８】
＜第一の実施形態＞
以下、本発明の第一の実施形態について、図１〜図１０を参照しつつ以下に述べる。
【００１９】
この実施形態は、本発明をペンをはじめ種々の小物類を卓上に立てて使用するための容器の一種であるペンツールスタンドＳに適用した場合のものである。
【００２０】
前記ペンツールスタンドＳは、ペンをはじめ種々の小物類を卓上に立てて使用するためのものであり、図１〜図１０に示すように、開口部１ａを有する容器本体１と、この容器本体１に接続され前記開口部１ａを開放する開き姿勢（Ｏ）から前記開口部１ａを塞ぐ閉じ姿勢（Ｃ）までの間で開閉動作可能な蓋部２とを備え、図７〜図１０に示すように、前記蓋部２が前記開き姿勢（Ｏ）をとった状態で天板面等の載置面Ｍ上に自立させることができるものである。また、このペンツールスタンドＳは、前記蓋部２を前記載置面Ｍに当接し且つ載置面Ｍに対して傾斜した姿勢で安定させる姿勢安定手段３を備えている。前記容器本体１の開口部１ａは、図８〜図１０に示すように、上方に開放された上方開放部分１ａ１及び前方に解放された前方開放部分１ａ２を有したものである。前記蓋部２は、図１、図２及び図６〜図１０に示すように、基端２ａ側が前記容器本体１に接続部７を介して回動可能に接続され、その回動端２ｂ側の領域２ｃをその内面が外を向くように反転させることができるようにしているとともに、回動端２ｂ側に前記閉じ姿勢（Ｃ）において前記開口部１ａの前記上方開放部分１ａ１を覆う頂壁３３を有したものである。
【００２１】
詳述すれば、前記容器本体１は、図１及び図４〜図１０に示すように、ペンツールスタンドＳの背面を構成する背壁１１と、この背壁１１の下縁から前方に延出し容器本体１の底部を構成する底壁１３と、前記背壁１１の左右両側縁から前方に延出する側壁１５とを備えたもので、前記両側壁１５は、前方への延出寸法が下端から上端に向かって漸次減少して最終的に略０となるような側面視略三角形状をなしている。前記背壁１１は、例えば、図６、図９及び図１０に示すように、芯材１７と、この芯材１７の背面に添設され外面を形成する外装材１９と、前記芯材１７の前面に添設され内面を形成する内装材２１とを具備したものである。前記両側壁１５は、例えば、図７に示すように、外面を形成する外装材２７と内面を形成する内装材２９とを有する。前記底壁１３も、例えば、図６、図９及び図１０に示すように、外面１３ｂを形成する外装材２３と内面１３ｃを形成する内装材２５とを有するもので、前記外装材２３の外面すなわち当該底壁１３の外面１３ｂには、図５及び図８〜図１０に示すように、前記姿勢安定手段３を構成する滑り止め３０が設けられている。この滑り止め３０は、合成ゴム等の摩擦係数の大きな材料により作られた摩擦突起３０ａを多数点在させたものである。これら外装材１９、２３、２７及び内装材２１、２５、２９は、いずれも、布や樹脂シート等の可撓性を有するシート材により作られている。そして、この容器本体１の下部の前縁に設定した前記接続部７を介して、前記蓋部２をこの容器本体１に接続している。
【００２２】
前記蓋部２は、図６，図９及び図１０に示すように、ペンツールスタンドＳの前面を構成する前壁３１と、この前壁３１の上縁から後方に延出する頂壁３３と、前記前壁３１の左右両側縁から後方に延出する側壁３５とを備えたもので、前記両側壁３５は、後方への延出寸法が上端から下端に向かって漸次減少して最終的に略０となるような側面視略逆三角形状をなしている。また、この蓋部２は、図１、図２及び図６〜図１０に示すように、前記容器本体１に前記接続部７を介して回動可能に接続された第一の蓋要素２Ａと、前記第一の蓋要素２Ａに回動可能に接続された第二の蓋要素２Ｂとからなる。具体的には、前記前壁３１は、例えば、図６、図９及び図１０に示すように、上下の芯材３７、３９と、これら両芯材３７、３９の前面に添設され外面３１ａを形成する外装材４１と、前記両芯材３７、３９の後面に添設され内面３１ｂを形成する内装材４３とを具備したものである。前記上の芯材３７と前記下の芯材３９とは、前壁３１の上下方向中間位置において離間しており、その離間部分において前記外装材４１と前記内装材４３とが縫合されている。そして、その縫合部分４５よりも下側が第一の蓋要素２Ａを構成するとともに、前記縫合部分４５よりも上側が第二の蓋要素２Ｂを構成している。その上で、前記第二の蓋要素２Ｂが前記縫合部分４５を境にして前記第一の蓋要素２Ａに対して前方に回動し得るようになっている。前記頂壁３３は、例えば、図６、図９及び図１０に示すように、芯材４７と、芯材４７の上面に添設され外面３３ａを形成する外装材４９と、前記芯材４７の下面に添設され内面３３ｂを形成する内装材５１とを具備したものである。前記両側壁３５は、例えば、図７に示すように、外面を形成する外装材５３と内面を形成する内装材５５とを有する。これら外装材４１、４９、５３及び内装材４３、５１、５５は、いずれも、布や樹脂シート等の可撓性を有するシート材により作られている。また、図１〜図４及び図６〜図１０に示すように、前記頂壁３３の上面すなわち外面３３ａには、帯状をなす変形可能な把手５７が設けられている。一方、図７、図９及び図１０に示すように、この頂壁３３の内面３３ｂには、スマートフォン等の物品を載置した際の安定性を高めるための滑り止め部５９を設けている。この滑り止め部５９は、摩擦係数の大きなシート材を前記頂壁３３の内面に貼り付けたり、多数の段部を有するシート材を貼り付けたりすることにより構成されたものである。また、図６〜図８及び図１０に示すように、この蓋部２の上部内面側、より具体的には前記第二の蓋要素２Ｂにおける前壁３１の内面３１ｂに、前記閉じ姿勢（Ｃ）において対向する前記容器本体１の内面に接近するように突出する収納部６１を設けている。この収納部６１は、例えば網状部材により構成されたもので、その周縁には当該収納部６１に対する物品の出し入れを可能にするための線ファスナ６３が設けられている。さらに、この蓋部２の下部内面側、より具体的には前記第一の蓋要素２Ａにおける前壁３１の内面３１ｂには、図６及び図１０に示すように、ポケット６５が設けられている。そして、この蓋部２の把手５７の外面すなわち上面５７ａには、図３、図６及び図８〜図１０に示すように、前記姿勢安定手段３を構成する滑り止め６７が設けられている。この滑り止め６７も、合成ゴム等の摩擦係数の大きな材料により作られた摩擦突起６７ａを多数点在させたものである。しかして、姿勢安定手段３は、前記蓋部２に設けられた滑り止め６７と、前記容器本体１に設けられた滑り止め３０とによって構成されており、前記縫合部分４５を境にして前記第二の蓋要素２Ｂを前記第一の蓋要素２Ａに対して回動させることにより第一の蓋要素２Ａと第二の蓋要素２Ｂとの開き角度を変更可能に設定できるようになっている。
【００２３】
以上説明した蓋部２は、接続部７を介して前記容器本体１に回動可能に接続されている。すなわち、前記接続部７は、図１及び図６〜図１０に示すように、前記容器本体１の下部に設定されており、前記蓋部２の基端２ａを前記容器本体１の底壁１３の前縁１３ａに回動可能に接続するものである。具体的には、この実施形態の接続部７は、図６、図９及び図１０に示すように、前記容器本体１の底壁１３の外装材２７及び内装材２９の前縁部と前記蓋部２の外装材４１、４９、５３及び内装材４３、５１、５５の下縁部とを縫合部分６９において縫合させたものである。なお、７１は、前記縫合部分６９を隠蔽するための隠蔽材である。
【００２４】
そして、図６〜図８及び図１０に示すように、前記容器本体１と前記蓋部２とがマチ４で接続されている。このマチ４は、前記接続部７の近傍において、前記容器本体１と前記蓋部２とを接離可能に接続するもので、可撓変形可能な布や樹脂シート等のシート材により作られている。より具体的には、前記マチ４は、前記容器本体１の側壁１５の前縁と前記第一の蓋要素２Ａの前壁３１の側縁とを接続しているもので、前記第一の蓋要素２Ａと前記容器本体１の背壁１１とが平行な状態では緩んだ状態となり、前記第一の蓋要素２Ａが前記容器本体１の背壁１１に対して一定角度だけ前傾した状態で緊張状態となるものである。図７〜図１０は、マチ４が略緊張した状態を示している。マチ４の後縁は前縁よりも長尺に設定されており、緊張状態におけるマチの上縁は後方に向かって漸次高くなるように傾斜している。このマチ４の前縁は、蓋部２の前壁３１を構成する外装材４１及び内装材４３の側縁部と縫合されており、その後縁は容器本体１の側壁１５を構成する外装材２３及び内装材２５の前縁部と縫合されている。
【００２５】
また、これら両マチ４の間には、図６、図７及び図１０に示すように、前記容器本体１の背壁１１と前記蓋部２の前壁３１とを接続する仕切り５が配されている。この仕切り５は、前記マチ４に準じた構成のもので、前記第一の蓋要素２Ａと前記容器本体１の背壁１１とが平行な状態では緩んだ状態となり、前記第一の蓋要素２Ａが前記容器本体１の背壁１１に対して一定角度だけ前傾した状態で緊張状態となる。この仕切り５は、前記容器本体１の下半部を２つの収納空間Ｓ１、Ｓ２に区画するためのものであり、この実施形態では、前記仕切り５と一方のマチ４との間に筆記具等の棒状物品Ｐを立てかけるための筆記具用の収納空間Ｓ１を形成するとともに、前記仕切り５と他方のマチ４との間に電卓、スティックのり、転写具等の小物類（収納物Ｇ）を収納するための小物類用の収納空間Ｓ２を形成している。
【００２６】
そして、以上説明した前記容器本体１と前記蓋部２との間には、図１、図３〜図５及び図７〜図８に示すように、線ファスナ６が設けられている。この線ファスナ６は、対をなすテープ６ａの対向縁にそれぞれ設けられた対をなす務歯６ｂと、これら務歯６ｂを噛合状態又は開放状態にするためのスライダ６ｃとを備えたもので、一方の務歯６ｂを有するテープ６ａは前記容器本体１における開口縁に止着されており、他方の務歯６ｂを有するテープ６ａは前記蓋部２に止着されている。具体的に説明すれば、一方の務歯６ｂを有するテープ６ａは、前記容器本体１の側壁１５の前縁及び背壁１１の上縁に縫合されており、他方の務歯６ｂを有するテープ６ａは、前記蓋部２の側壁３５の後縁及び頂壁３３の後縁に縫合されている。なお、この線ファスナ６の両端部は、前記容器本体１の底面側に若干回り込ませて設けられている。
【００２７】
なお、図１は、本実施形態のペンツールスタンドＳの閉じ姿勢（Ｃ）を示す斜視図、図２は同正面図、図３は同平面図、図４は同側面図、図５は同底面図である。図６は、図２におけるＡ−Ａ線に沿った断面を模式的に示す模式断面図である。図７は、本実施形態のペンツールスタンドＳの開き姿勢（Ｏ）を示す斜視図、図８は同側面図である。図９は、図７におけるＢ−Ｂ線に沿った断面を模式的に示す模式断面図であり、図１０は、図７におけるＣ−Ｃ線に沿った断面を模式的に示す模式断面図である。この明細書においては、図２に示す正面側すなわち前記蓋部２側を「前」と表現し、それを基準にして前後左右上下を記述しているが、これは説明の便宜上のものである。
【００２８】
次いで、このペンツールスタンドＳの使用態様について説明する。
【００２９】
このペンツールスタンドＳは、図７〜図１０に示すように、前記蓋部２が前記開き姿勢（Ｏ）をとった状態で天板面等の載置面Ｍ上に自立させて使用することができる。すなわち、この実施形態においては、前記線ファスナ６を開放状態にして蓋部２を前方に回動させ、さらに第二の蓋要素２Ｂを第一の蓋要素２Ａに対して屈曲するように回動させることにより、容器本体１の開口部１ａを全面的に解放することができる。この開き姿勢（Ｏ）においては、図８〜図１０に示すように、前記容器本体１の底壁１３の外面１３ｂに設けられた滑り止め３０が前記載置面Ｍに当接するとともに、前記蓋部２の回動端２ｂ側に設けられた滑り止め６７すなわち前記把手５７に設けられた滑り止め６７が前記載置面Ｍに当接し、その開き姿勢（Ｏ）が維持される。この開き姿勢（Ｏ）においては、蓋部２の回動端２ｂ側の領域２ｃすなわち第二の蓋要素２Ｂの内面、換言すれば前記前壁３１の下部の内面３１ｂが外を向くように反転しているので、その第二の蓋要素２Ｂの内面にスマートフォン等の物品ＳＰを起立姿勢で立てかけておくことができる。その際、蓋部２の頂壁３３の内面には前記滑り止め部５９が設けられているので、立てかけた物品ＳＰが転倒することを抑制することができる。また、前記第二の蓋要素２Ｂの内面すなわち前記前壁３１の下部の内面３１ｂに設けられた収納部６１が前面に露出することになるため、その収納部６１に対して図示しない印鑑その他の小型物品を自由に出し入れすることができる。さらに、この開き姿勢（Ｏ）においては、容器本体１の筆記具用の収納空間Ｓ１及び小物類用の収納空間Ｓ２が上方及び前方に解放されることになる。そのため、筆記具用収納空間Ｓ１に対して筆記具等の棒状物品Ｐを立てかけたり取り出したりすることが自由となる。また、小物類用の収納空間Ｓ２に対しては、電卓等の収納物Ｇを収納したり取り出したりすることができる。
【００３０】
前記蓋部２を以上説明した開き姿勢（Ｏ）から閉じ姿勢（Ｃ）に戻して線ファスナ６を閉じると、図１〜図６に示すように、当該ペンツールスタンドＳが小型のかばん状に変形することになる。そのため、前記筆記具用の収納空間Ｓ１や小物類用の収納空間Ｓ２に収納した筆記具その他の物品Ｐ、Ｇを内部に収めたままで持ち運ぶことができる。この閉じ姿勢（Ｃ）においては、図６に示すように、前記蓋部２に設けられた収納部６１が対向する前記容器本体１の内面すなわち前記背壁１１の内面１１ａに接近しているので、この小物類用の収納空間Ｓ２に収納した収納物Ｇを背の低いものにしておきさえすれば、当該収納物Ｇと前記収納部６１との干渉を防止することができ、内部空間を有効に利用することが可能になるとともに、持ち運びの際に収納空間Ｓ２に収納した物品の移動をせき止めることができる。
【００３１】
このような構成のものであれば、前記蓋部２の回動を一定範囲で許容するマチ４を備えているので、収納物Ｐ、Ｇがこぼれ出るのを防止又は抑制しつつ大きな開口面積を確保することができる。さらに、少なくとも蓋部２の回動端２ｂ側の領域２ｃを反転させることができるので、その開口をより大きく出し入れし易い形態にすることができ、使い勝手が向上する。
【００３２】
また、前記蓋部２が、前記容器本体１に回動可能に接続された第一の蓋要素２Ａと、この第一の蓋要素２Ａに回動可能に接続され前記回動端２ｂ側の領域２ｃを構成する第二の蓋要素２Ｂとからなり、前記第一の蓋要素２Ａと前記容器本体１とが前記マチ４で接続されているので、収納物Ｐ、Ｇがこぼれ出るのを防止しつつより大きな開口面積を確保できる。
【００３３】
さらに、前記接続部７は、前記容器本体１の下部に設定されているので、この点からも、収納物Ｐ、Ｇがこぼれ出るのを防止しつつより大きな開口面積を確保できる。
【００３４】
その上、前記蓋部２を開いた姿勢で安定させる姿勢安定手段３を備えているので、前記蓋部２を開いた姿勢で自立させつつペンツールスタンドＳが邪魔にならないようにすることができる。
【００３５】
前記姿勢安定手段３が、前記容器本体１の底部に設けた滑り止め３０と前記蓋部２に設けた滑り止め６７とを備えたものであるので、簡易な構成により前述したような開き姿勢（Ｏ）を安定して維持させることができる。
【００３６】
さらに、このような姿勢安定手段３であれば、第一の蓋要素２Ａと第二の蓋要素２Ｂとの開き角度を変更可能に設定できるので、使用者の好みに合わせて蓋部２の内面すなわち前記前壁３１の内面３１ｂの傾斜角度を調整することができる。
【００３７】
加えて、この実施形態においては、線ファスナ６の両端部を前記容器本体１の底面側に若干回り込ませて設けていることにより、前記開き姿勢（Ｏ）において開口部１ａをより大きく確保できる。但し、線ファスナ６の両端部を前記容器本体１の側壁１５及び前記蓋部２の側壁３５における下端近傍に設定し、線ファスナ６が前記容器本体１の底面側には達していない構成を採用してもかまわない。
【００３８】
＜第二の実施形態＞
次いで、本発明の第二の実施形態について、図１１〜図１３を参照しつつ以下に述べる。この第二の実施形態における容器であるペンツールスタンドＳＢは、第一の実施形態のペンツールスタンドＳに準じた構成をなすものであり、第一の実施形態のものと同一又は相当する部分には同一の名称及び符号を付して説明を省略する。
【００３９】
このペンツールスタンドＳＢが、前述した第一の実施形態におけるペンツールスタンドＳと異なっている点は、以下の通りである。まず、この実施形態におけるペンツールスタンドＳＢの姿勢安定手段Ｂ３は、第一の蓋要素２Ａと第二の蓋要素２Ｂとの開き角度を拘束する拘束具たるホック８１を備えたものである。このホック８１は、第一の蓋要素２Ａ側に設けられた雄部材８３と、第二の蓋要素２Ｂ側に設けられた雌部材８５とからなるもので、これら雄部材８３と雌部材８５とを係り合わせることにより、このペンツールスタンドＳＢを開き姿勢（Ｏ）に維持し、蓋部２を載置面Ｍに当接し且つ載置面Ｍに対して傾斜した姿勢で安定させることができる。この実施形態においては、前記ホック８１を掛けた状態でも蓋部２の内面が傾斜状態を維持することができるようにするために、少なくとも第一の蓋要素２Ａ内の芯材は省略してある。
【００４０】
このような構成のものであれば、第一の実施形態のように傾斜角度を調整する機能は損なわれるが、簡易な構成により、開き姿勢（Ｏ）を安定保持させることができるという効果が得られる。換言すれば、前記ホック８１を掛けて開き姿勢（Ｏ）とした状態で、第一の蓋要素２Ａの載置面Ｍに対する角度をより確実に一定に保つことができるという効果が得られる。
【００４１】
なお、図１１は、本実施形態のペンツールスタンドＳＢの閉じ姿勢（Ｃ）を示す斜視図であり、図１２は、同開き姿勢（Ｏ）を示す斜視図である。そして、図１３は、図１２におけるＤ−Ｄ線に沿った断面を模式的に示す模式断面図である。前記図１３においては、容器本体１の背壁１１及び底壁１３、並びに蓋部２の前壁３１及び頂壁３３は内部構造を省略して示している。
【００４２】
また、以上に述べた第一及び第二の実施形態では、蓋部が、容器本体に回動可能に接続された第一の蓋要素と、この第一の蓋要素に回動可能に接続され回動端側の領域を構成する第二の蓋要素とからなる構成を採用しているが、３以上の蓋要素を備え、互いに隣接する蓋要素同士が互いに回動可能である構成を採用してももちろんよい。
【００４３】
＜第三の実施形態＞
次いで、本発明の第三の実施形態について、図１４〜図１６を参照しつつ以下に述べる。この第三の実施形態における容器であるペンツールスタンドＳＣは、開口部１ａを有する容器本体１と、この容器本体１に接続され前記開口部１ａを開放する開き姿勢（Ｏ）から前記開口部１ａを塞ぐ閉じ姿勢（Ｃ）までの間で開閉動作可能な蓋部２とを備え、図１５及び図１６に示すように、前記蓋部２が前記開き姿勢（Ｏ）をとった状態で天板面等の載置面Ｍ上に自立させることができるものである。また、このペンツールスタンドＳＣは、前記蓋部２を前記載置面Ｍに当接し且つ載置面Ｍに対して傾斜した姿勢で安定させる姿勢安定手段Ｃ３を備えている。前記容器本体１の開口部１ａは、図１５及び図１６に示すように、上方に開放された上方開放部分１ａ１及び前方に解放された前方開放部分１ａ２を有したものである。前記蓋部２は、図１４〜図１６に示すように、基端２ａ側が前記容器本体１に接続部７を介して回動可能に接続され、その回動端２ｂ側の領域２ｃをその内面が外を向くように反転させることができるようにしているとともに、回動端２ｂ側に前記閉じ姿勢（Ｃ）において前記開口部１ａの前記上方開放部分１ａ１を覆う頂壁３３を有したものである。
【００４４】
詳述すれば、前記容器本体１は、図１４〜図１６に示すように、ペンツールスタンドＳＣの背面を構成する背壁１１と、この背壁１１の下縁から前方に延出し容器本体１の底部を構成する底壁１３と、前記背壁１１の左右両側縁から前方に延出する側壁１５と、前記底壁１３の前縁から起立する前壁１６とを備えたもので、前記両側壁１５は、略矩形状をなしている。また、前記前壁１６の高さ寸法は、前記背壁１１の高さ寸法よりも小さく、その上縁１６ａに接続部７が設定されている。この容器本体１の底部は、水平な載置面Ｍ上に鉛直姿勢で自立させることが可能な形態をなしている。
【００４５】
前記蓋部２は、図１４〜図１６に示すように、ペンツールスタンドＳＣの前面を構成する前壁３１と、この前壁３１の上縁から後方に延出する頂壁３３と、前記頂壁３３の後縁から垂下する折り返し壁３４とを備えたものである。本実施形態でも、前記頂壁３３の内面３３ｂには、スマートフォン等の物品を載置した際の安定性を高めるための滑り止め部５９を設けているが、本実施形態の滑り止め部５９は、前記頂壁３３の内面３３ｂから突設させた突条を利用して形成している。
【００４６】
以上説明した蓋部２は、接続部７を介して前記容器本体１に回動可能に接続されている。すなわち、前記接続部７は、図１４〜図１６に示すように、前記容器本体１の前壁１６の上縁部に設定されており、前記蓋部２の基端２ａを前記容器本体１の前壁１６の上縁１６ａに回動可能に接続するものである。
【００４７】
さらに、前記容器本体１と前記蓋部２とは、マチＣ４で接続されている。このマチＣ４は、前記接続部７の近傍において、前記容器本体１と前記蓋部２とを接離可能に接続するもので、可撓変形可能な布や樹脂シート等のシート材により作られている。より具体的には、前記マチＣ４は、前記容器本体１の側壁１５の前縁と前記蓋部２の前壁３１の側縁とを接続しているもので、前記蓋部２と前記容器本体１の背壁１１とが平行な状態では折りたたまれた状態となり、前記蓋部２が前記容器本体１の背壁１１に対して一定角度だけ前傾した状態で展開状態となるものである。図１５及び図１６は、マチＣ４の展開状態を示している。
【００４８】
また、これら容器本体１と蓋体２との間には、ペンツールスタンドＳＣを図１４に示す閉じ姿勢（Ｃ）に保持しておくための第１及び第２のホック９１、９３が設けられている。前記第１のホック９１は、前記容器本体１の側壁１５の上部の前縁から内方に突設させた舌片９２に設けた雄部材９１ａと、前記蓋体２の前壁３１に設けた雌部材９１ｂとからなる。前記第２のホック９３は、前記容器本体１の背壁１１の背面の上部に設けた雄部材９３ａと、前記蓋体２の折り返し壁３４に設けた雌部材９３ｂとからなる。そして、前記第１のホック９１の雄部材９１ａと雌部材９１ｂとを係り合わせるとともに、前記第２のホックの雄部材９３ａと雌部材９３ｂとを係り合わせることにより、このペンツールスタンドＳＣを閉じ姿勢（Ｃ）に維持できるようにしている。
【００４９】
そして、この実施形態の前記姿勢安定手段Ｃ３は、前述したように容器本体１を載置面Ｍ状に鉛直姿勢で起立させることができるようにするとともに、開き姿勢（Ｏ）における当該ペンツールスタンドＳＣの重心Ｊが前記容器本体１の奥行き寸法内に収まるように設定したものである。すなわち、このペンツールスタンドＳＣの重心Ｊは、容器本体１の前面から背面までの間の領域Ｒ内に位置するように設定されている。なお、本実施形態では、前記開き姿勢（Ｏ）において、蓋体２の全体が載置面Ｍに対して傾斜した姿勢で当該載置面Ｍに当接している。
【００５０】
以上の説明において、第一の実施形態のものと同一又は相当する部分には同一の名称及び符号を付している。
【００５１】
このような構成のものであれば、閉じ姿勢（Ｃ）においても開き姿勢（Ｏ）においても容器本体１を起立姿勢で自立させておくことができる。そして、前記容器本体１と前記蓋部２とをマチＣ４により接続しているので、前述した第一及び第二の実施形態と同様に、大きな開口面積を確保しつつ、収納物がこぼれ出るのを防止又は抑制することができる。
【００５２】
なお、図１４は、本実施形態のペンツールスタンドＳＣの閉じ姿勢（Ｃ）を示す斜視図であり、図１５は、同開き姿勢（Ｏ）を示す斜視図である。そして、図１６は、図１５におけるＥ−Ｅ線に沿った断面を模式的に示す模式断面図である。前記図１６においては、容器本体１の背壁１１、底壁１３及び前壁１６、並びに蓋部２の前壁３１、頂壁３３及び折り返し壁３４は内部構造を省略して示している。
【００５３】
＜第四の実施形態＞
次いで、本発明の第四の実施形態について、図１７〜図１９を参照しつつ以下に述べる。この第四の実施形態における容器であるペンツールスタンドＳＤは、開口部１ａを有する容器本体１と、この容器本体１に接続され前記開口部１ａを開放する開き姿勢（Ｏ）から前記開口部１ａを塞ぐ閉じ姿勢（Ｃ）までの間で開閉動作可能な蓋部２とを備え、図１７及び図１８に示すように、前記蓋部２が前記開き姿勢（Ｏ）をとった状態で天板面等の載置面Ｍ上に自立させることができるものである。また、このペンツールスタンドＳＤは、前記蓋部２を前記載置面Ｍに当接し且つ載置面Ｍに対して傾斜した姿勢で安定させる姿勢安定手段Ｄ３を備えている。前記容器本体１の開口部１ａは、図１８及び図１９に示すように、上方に開放された上方開放部分１ａ１及び前方に解放された前方開放部分１ａ２を有したものである。前記蓋部２は、図１７〜図１９に示すように、基端２ａ側が前記容器本体１に接続部７を介して回動可能に接続され、その回動端２ｂ側の領域２ｃをその内面が外を向くように反転させることができるようにしているとともに、回動端２ｂ側に前記閉じ姿勢（Ｃ）において前記開口部１ａの前記上方開放部分１ａ１を覆う頂壁３３を有したものである。
【００５４】
詳述すれば、前記容器本体１は、図１７〜図１９に示すように、ペンツールスタンドＳＤの背面を構成する背壁１１と、この背壁１１の下縁から前方に延出し容器本体１の底部を構成する底壁１３と、前記背壁１１の左右両側縁から前方に延出する側壁１５と、前記底壁１３の前縁から起立する前壁１６とを備えたものである。前記両側壁１５の下半部は前方への延出寸法が略一定であり、その上半部は、前方への延出寸法が下端から上端に向かって漸次減少して最終的に略０となるような形状をなしている。また、前記前壁１６の高さ寸法は、前記背壁１１の高さ寸法よりも小さく、その上縁１６ａに接続部７が設定されている。この容器本体１の底部は、水平な載置面Ｍ上に鉛直姿勢で自立させることが可能な形態をなしている。
【００５５】
前記蓋部２は、図１７〜図１９に示すように、ペンツールスタンドＳＤの前面を構成する前壁３１と、この前壁３１の上縁から後方に延出する頂壁３３と、前記前壁３１の左右両側縁から後方に延出する側壁３５とを備えたもので、前記両側壁３５は、後方への延出寸法が上端から下端に向かって漸次減少して最終的に略０となるような側面視略逆三角形状をなしている。
【００５６】
以上説明した蓋部２は、接続部７を介して前記容器本体１に回動可能に接続されている。すなわち、前記接続部７は、図１７〜図１９に示すように、前記容器本体１の前壁１６の上縁部に設定されており、前記蓋部２の基端２ａを前記容器本体１の前壁１６の上縁１６ａに回動可能に接続するものである。
【００５７】
さらに、前記容器本体１と前記蓋部２とは、マチＤ４で接続されている。このマチＤ４は、前記接続部７の近傍において、前記容器本体１と前記蓋部２とを接離可能に接続するもので、可撓変形可能な布や樹脂シート等のシート材により作られている。より具体的には、前記マチＤ４は、前記容器本体１の側壁１５の前縁と前記蓋部２の前壁３１の側縁とを接続しているもので、前記蓋部２と前記容器本体１の背壁１１とが平行な状態では折りたたまれた状態となり、前記蓋部２が前記容器本体１の背壁１１に対して一定角度だけ前傾した状態で展開状態となるものである。図１８及び図１９は、マチＤ４の展開状態を示している。
【００５８】
また、これら容器本体１と蓋体２との間には、ペンツールスタンドＳＣを図１７に示す閉じ姿勢（Ｃ）に保持しておくための止め具９９が設けられている。この止め具９９は、前記容器本体１の背壁１１の上部に埋設した第１のマグネット９９ａと、前記蓋体２の後縁部から垂下させた舌片９９ｃに埋設した第２のマグネット９９ｂとからなる。そして、これら第１及び第２のマグネット９９ａ、９９ｂを互いに吸着させることにより、このペンツールスタンドＳＤを閉じ姿勢（Ｃ）に維持できるようにしている。
【００５９】
そして、この実施形態の前記姿勢安定手段Ｄ３は、前述したように容器本体１を載置面Ｍ状に鉛直姿勢で起立させることができるようにするとともに、開き姿勢（Ｏ）における当該ペンツールスタンドＳＤの重心Ｊが前記容器本体１の奥行き寸法内に収まるように設定したものである。すなわち、このペンツールスタンドＳＤの重心Ｊは、容器本体１の前面から背面までの間の領域Ｒ内に位置するように設定されている。なお、本実施形態では、前記開き姿勢（Ｏ）において、蓋体２の全体が載置面Ｍに対して傾斜した姿勢で当該載置面Ｍに当接している。
【００６０】
以上の説明において、第一の実施形態のものと同一又は相当する部分には同一の名称及び符号を付している。
【００６１】
このような構成のものであれば、閉じ姿勢（Ｃ）においても開き姿勢（Ｏ）においても容器本体１を起立姿勢で自立させておくことができる。そして、前記容器本体１と前記蓋部２とをマチＤ４により接続しているので、前述した第一ないし第三の実施形態と同様に、大きな開口面積を確保しつつ、収納物がこぼれ出るのを防止又は抑制することができる。
【００６２】
なお、図１７は、本実施形態のペンツールスタンドＳＤの閉じ姿勢（Ｃ）を示す斜視図であり、図１８は、同開き姿勢（Ｏ）を示す斜視図である。そして、図１９は、図１８におけるＦ−Ｆ線に沿った断面を模式的に示す模式断面図である。前記図１９においては、容器本体１の背壁１１、底壁１３及び前壁１６、並びに蓋部２の前壁３１及び頂壁３３は内部構造を省略して示しているとともに、収納部６１も省略して示している。
【００６３】
＜第五の実施形態＞
次いで、本発明の第五の実施形態について、図２０〜図２２を参照しつつ以下に述べる。この第二の実施形態における容器であるペンツールスタンドＳＥは、第一の実施形態のペンツールスタンドＳに準じた構成をなすものであり、第一の実施形態のものと同一又は相当する部分には同一の名称及び符号を付して説明を省略する。
【００６４】
このペンツールスタンドＳＥが、前述した第一の実施形態におけるペンツールスタンドＳと異なっている点は、以下の通りである。まず、この実施形態におけるペンツールスタンドＳＥは、前述した姿勢安定手段３を設ける代わりに、開き姿勢（Ｏ）で、蓋部２が載置面Ｍに対して傾斜した状態で当接し、容器本体１に収納物Ｐ、Ｇが収納された状態で当該容器本体１が前記載置面Ｍ上に安定して起立しうるように構成されている。すなわち、前記姿勢安定手段３である容器本体１の底壁１３の滑り止め３０及び把手５７の滑り止め６７を省略し、以下のように構成している。
【００６５】
前記容器本体１は、図２０〜図２２に示すように、ペンツールスタンドＳＥの背面を構成する背壁１１と、この背壁１１の下縁から前方に延出し容器本体１の底部を構成する底壁１３と、前記背壁１１の左右両側縁から前方に延出する側壁１５とを備えたものである。前記背壁１１の内面１１ａにおける第２の収納空間Ｓ２側には第１のポケット部材１０１が設けられているとともに、この第１のポケット部材１０１の前方にはさらに第２のポケット部材１０３が設けられおり、前記背壁１１と前記第１のポケット部材１０１との間の空間、及び前記第１のポケット部材１０１と前記第２のポケット部材１０３との間の空間に付箋や薄型の電卓といった収納物Ｇをそれぞれ収納可能となっている。そして、図２２に示すように、この容器本体１の底壁１３の周縁部１３ｓには縁部材１０５が巻き回されて前記背壁１１、前記側壁１５及び蓋部２の前壁３１と縫着されており、該周壁１３の他の部位よりも下方に突出している。すなわち、底壁１３の周縁部１３ｓをこのように構成することにより容器本体１が載置面Ｍ上に起立しやすくなっている。なお、前記蓋部２の前壁３１の内面３１ｂのポケットは省略されている。
【００６６】
また、前記容器本体１と前記蓋部２との間に設けられている線ファスナ６の両端６ｘは、前記容器本体１の側壁１５及び前記蓋部２の側壁３５における下端近傍に設定されており、前記容器本体１の底面側には達していない。
【００６７】
そして、容器本体１の収納空間Ｓ１、Ｓ２に物品Ｐ、Ｇを収納して開き姿勢（Ｏ）とした状態でペンツールスタンドＳＥの重心が容器本体１の奥行き寸法内となるように前記容器本体１の形態を設定している。
【００６８】
このような構成のものであれば、第一の実施形態のように傾斜角度を調整する機能は損なわれるが、簡易な構成により、また、特殊な部材を用いることなく、開き姿勢（Ｏ）に安定保持させることができるという効果が得られる。換言すれば、容器本体１の収納空間Ｓ１、Ｓ２に物品Ｐ、Ｇを収納して開き姿勢（Ｏ）とした状態で、容器本体１を載置面Ｍ上に起立させつつこのペンツールスタンドＳＥを安定して載置面Ｍに載置させておくことができる。
【００６９】
なお、図２０は、本実施形態のペンツールスタンドＳＢの閉じ姿勢（Ｃ）を示す斜視図であり、図２１は、同開き姿勢（Ｏ）を示す斜視図である。そして、図２２は、図２１におけるＨ−Ｈ線に沿った断面を模式的に示す模式断面図である。
【００７０】
また、この実施形態においても、開き姿勢（Ｏ）において開口部１ａをより大きく確保すべく、線ファスナ６の両端部を前記容器本体１の底面側に若干回り込ませて設けるようにしてもよい。
【００７１】
なお、本発明は以上に述べた実施形態に限らない。
【００７２】
例えば、上述した各実施形態では、ペンツールスタンドについて説明したが、ペンツールスタンド以外の容器、例えば化粧用具を収納する容器等に本発明を適用してももちろんよい。
【００７３】
また、上述した各実施形態では、容器本体の上縁に上壁が設けられていない態様について説明したが、容器本体の上縁に奥行き寸法が蓋部の頂壁よりも小さな上壁が設けられている構成を採用してももちろんよい。
【００７４】
さらに、上述した各実施形態では、容器本体の開口部が、上方に開放された上方開放部分と前方に解放された前方開放部分とを有しているが、本発明は必ずしもこのようなものに限られないのはもちろんである。すなわち、容器本体の開口部が前記上方開放部分及び前記前方開放部分に加え、側方に解放された側方開放部分を有する態様を採用する等、種々変形が可能である。
【００７５】
加えて、上述した各実施形態では、蓋部を開いた姿勢で自立させつつ容器が邪魔にならないようにすべく姿勢安定手段を備えているが、本発明は必ずしもこのような姿勢安定手段を有するものに限られず、姿勢安定手段を省略する構成を採用してもちろんよい。
【００７６】
その上、上述した各実施形態では、蓋部の内面に立てかけた物品がずり落ちることを抑制し、当該物品を前記蓋部の内面に安定して保持させておくようにすべく、蓋部の頂壁内面に滑り止め部を設けているが、本発明は必ずしもこのような滑り止め部を有するものに限られず、滑り止め部を省略する構成を採用してももちろんよい。また、滑り止め部も、摩擦の大きなシート状のものに限らず、段部を有したもの等、種々の態様が考えられる。
【００７７】
そして、上述した各実施形態では、蓋部の上部内面側に収納部を設けているが、この収納部の厚み寸法は任意のものを採用してもよい。すなわち、薄いポケット状の収納部を設ける態様や、逆に閉じ姿勢において収納部が対向する前記容器本体の内面に完全に達している態様を採用してももちろんよい。一方、蓋部の上部内面側の収納部を完全に省略する態様を採用してももちろんよい。
【００７８】
その他、本発明の趣旨を損ねない範囲で種々に変形してよい。
【符号の説明】
【００７９】
Ｓ、ＳＢ〜ＳＥ…容器（ペンツールスタンド）
１…容器本体
１ａ…開口部
２…蓋部
２ｃ…（蓋部の）回動端側の領域
２Ａ…第一の蓋要素
２Ｂ…第二の蓋要素
３、Ｂ３〜Ｄ３…姿勢安定手段
４、Ｃ４、Ｄ４…マチ
３０、６７…滑り止め
５９…滑り止め部
６１…収納部
８１…拘束具（ホック）
【図１】
2020000741.tif 000003
【図２】
2020000741.tif 000004
【図３】
2020000741.tif 000005
【図４】
2020000741.tif 000006
【図５】
2020000741.tif 000007
【図６】
2020000741.tif 000008
【図７】
2020000741.tif 000009
【図８】
2020000741.tif 000010
【図９】
2020000741.tif 000011
【図１０】
2020000741.tif 000012
【図１１】
2020000741.tif 000013
【図１２】
2020000741.tif 000014
【図１３】
2020000741.tif 000015
【図１４】
2020000741.tif 000016
【図１５】
2020000741.tif 000017
【図１６】
2020000741.tif 000018
【図１７】
2020000741.tif 000019
【図１８】
2020000741.tif 000020
【図１９】
2020000741.tif 000021
【図２０】
2020000741.tif 000022
【図２１】
2020000741.tif 000023
【図２２】
2020000741.tif 000024